(57)【要約】  実耳測定用プローブ・チューブを補聴器のマイクロホンに結合させるためのアダプタである。このアダプタは，補聴器のハウジングのまわりに配置されるスリーブを含む。このスリーブは，音をプローブ・チューブからマイクロホンへと通過させる音開口を含む。アダプタは，プローブ・チューブと，プローブ・チューブをマイクロホンに接続するアダプタを備えた実耳測定装置であって，アダプタが補聴器のハウジングのまわりに配置されるようになっているスリーブを含み，スリーブが音をプローブ・チューブからマイクロホンへと通過させる音開口を含む実耳測定装置の一体的部分を形成する。上記装置は，上記装置を用意するステップと，上記装置を上記補聴器の上記ハウジングのまわりに取り付けて，上記音開口が上記補聴器の内蔵マイクロホンの上に配置されるようにするステップと，上記プローブ・チューブを，耳内において，上記プローブ・チューブの自由端がイヤープラグと鼓膜の間の耳腔内において開口部を呈するような態様に配置するステップと，上記マイクロホンを用いて上記耳腔内において上記補聴器から生じる音の音圧を検出するステップとからなる実耳測定の実施方法において用いることができる。
2007529927.tif 000002
【特許請求の範囲】
【請求項１】
実耳測定用プローブ・チューブを補聴器のマイクロホンに結合させるためのアダプタであって，
補聴器のハウジングのまわりに配置されるようになっているスリーブを含み，上記スリーブは，音を上記プローブ・チューブから上記マイクロホンへと通過させる音開口を含むことを特徴とする，アダプタ。
【請求項２】
上記スリーブは，上記音開口と接続されて配置されるとともに，上記プローブ・チューブの内壁に係合するようになっている管状部材を含むことを特徴とする，請求項１に記載のアダプタ。
【請求項３】
上記管状部材は，金属管であることを特徴とする，請求項２に記載のアダプタ。
【請求項４】
上記スリーブは，弾性材によって作られていることを特徴とする，上記請求項のいずれか１項に記載のアダプタ。
【請求項５】
上記スリーブは，少なくとも部分的に透明材によって作られていることを特徴とする，上記請求項のいずれか１項に記載のアダプタ。
【請求項６】
上記スリーブは，シリコーン・ゴムによって作られていることを特徴とする，上記請求項のいずれか１項に記載のアダプタ。
【請求項７】
上記スリーブは，位置決め手段を含むことを特徴とする，上記請求項のいずれか１項に記載のアダプタ。
【請求項８】
上記スリーブは，視覚的位置決め手段を含むことを特徴とする，上記請求項のいずれか１項に記載のアダプタ。
【請求項９】
上記位置決め手段は，溝を構成することを特徴とする，請求項７または８に記載のアダプタ。
【請求項１０】
プローブ・チューブと，上記プローブ・チューブをマイクロホンに接続するアダプタとからなる実耳測定装置において，
上記アダプタは，補聴器のハウジングのまわりに配置されるようになっているスリーブを含み，上記スリーブは，音を上記プローブ・チューブから上記マイクロホンへと通過させる音開口を含むことを特徴とする，実耳測定装置。
【請求項１１】
上記スリーブおよび上記プローブ・チューブは，一体的な部材を構成することを特徴とする，請求項１０に記載の装置。
【請求項１２】
上記プローブ・チューブは，耳内における適正な位置決めのための位置決め手段を含むことを特徴とする，請求項１０または１１のいずれか１項に記載の装置。
【請求項１３】
上記位置決め手段は，上記プローブ・チューブに沿って摺動可能なスリーブを含むことを特徴とする，請求項１２に記載の装置。
【請求項１４】
補聴器の内蔵マイクロホンを用いて実耳測定を実施する方法において，
プローブ・チューブと上記プローブ・チューブをマイクロホンに接続するアダプタとからなる実耳測定装置であって，上記アダプタは，補聴器のハウジングのまわりに配置されるようになっているスリーブを含み，上記スリーブは，音を上記プローブ・チューブから上記マイクロホンへと通過させる音開口を含む，そのような実耳測定装置を用意し，
上記装置を上記補聴器の上記ハウジングのまわりに取り付けて，上記音開口が，上記補聴器の上記内蔵マイクロホンの上に配置されるようにし，
上記プローブ・チューブを，耳内において，上記プローブ・チューブの自由端がイヤープラグと鼓膜との間における耳腔内において開口部を呈するような態様に配置し，
上記マイクロホンを用いて上記耳腔内において上記補聴器から生じる音の音圧を検出する，方法。
【請求項１５】
上記音圧の検出に先立って較正を行い，この較正において上記プローブ・チューブの上記自由端を上記補聴器の出力トランスデューサ付近に配置し，上記補聴器からの既知の信号に基づいて音圧を測定することを特徴とする，請求項１４に記載の方法。
【発明の詳細な説明】
【技術分野】
【０００１】
この発明は，補聴器に関する。この発明は，特に，実耳測定用プローブ・チューブ（a probe tube for real ear measurements）を補聴器のマイクロホンに結合させる（カップリングする）アダプタと，このようなアダプタを含む実耳測定装置および方法に関する。
【背景技術】
【０００２】
実耳測定（real ear measurements）は，補聴器を個々の使用者に合わせて調整するときに大変有利である。補聴器の一般的な特性は，通常，カプラとして知られる周知の人工の耳（a model ear）を用いた測定によってわかるが，耳道にはかなりの個人差があるので，これらの特性が，補聴器が実耳内に配置されたときの実際の特性を完全に反映しないことがある。このことは，特に小児の場合に限らず，たとえば手術により耳道が損傷または変形した人の場合にも言える。
【０００３】
さらに，補聴器を小児に合わせて調整する場合は，耳内における実際の音圧レベルの実耳測定が重要である。これは，快適性および感音についての小児の返答は，成人の返答ほど確実ではないためである。このため，耳内に配置されたときの補聴器の実際の特性と，カプラを用いて測定される特性との間における差が察知されないままになりかねない。このこともまた，不適正な調整につながりかねず，たとえば利得を大きく調整しすぎて不快に高い音響レベルがもたらされるおそれ，または利得を小さく調整しすぎて使用者の聴覚障害を補償することができないほど音響レベルが低くなりすぎるおそれがある。
【０００４】
このような測定を行なうために，補聴器それ自体を用いることが提案された。米国特許第６，１５４，５４６号において，プローブ・チューブと呼ばれる伝音管（a sound conducting tube）を，イヤープラグ（earplug，耳栓）と鼓膜の間の耳腔から補聴器の１個以上の外部入力マイクロホンへと接続することが提案されている。このプローブ・チューブは，アダプタを介して外部マイクロホンに接続できると記載されている。しかしながら，このアダプタは単に略図に示されているにすぎず，短尺の剛性管という概略的な示唆を除いて，いかなる詳細も説明されていない。さらにまた，このアダプタ自体が，どのようにしてハウジングまたはマイクロホンに接続されるかも説明されていない。
【発明の開示】
【０００５】
こうした背景のもと，この発明の目的は，プローブ・チューブを補聴器のマイクロホンに結合させるアダプタを提供することにある。
【０００６】
この発明の他の目的は，このようなアダプタを備えた実耳測定装置を提供することにある。
【０００７】
さらに他の目的は，実耳測定の実施方法を提供することにある。
【０００８】
この発明の第１の態様によると，この第１の目的は，冒頭の段落にしたがうアダプタによって達成され，このアダプタは，補聴器のハウジングのまわりに配置されるようになっているスリーブを含み，上記スリーブは，音をプローブ・チューブからマイクロホンへと通過させる音開口（sound opening）を含む。
【０００９】
このようなスリーブは，補聴器のマイクロホンとプローブ・チューブとの間における正確な調整を可能にするだけではなく，さらにプローブ・チューブが測定時において補聴器から抜脱されるのを防ぐ。
【００１０】
第１の実施形態によると，上記スリーブは，上記音開口に接続されて配置されるとともに，上記プローブ・チューブの内壁に係合するようになっている管状部材を含む。このような管を用いることは，スリーブの製造時に金型内に上記管を埋設することによって上記管をスリーブに容易に固定することができるという利点をもたらす。さらにまた，管を用いることによって，プローブ・チューブの取付けと取外しとを容易にすることができる。
【００１１】
上記管状部材が金属管である場合は，特に有利である。金属管は剛性であるので，プローブ・チューブの取付けと取外しとが容易になる。
【００１２】
この発明の他の態様によると，上記スリーブは弾性材によって作られる。弾性材のスリーブを用いることによって，この発明にしたがう一つの同じアダプタを，異なる構造の補聴器，たとえば異なるハウジングを有する補聴器とともに用いることができる。
【００１３】
特に好適な実施形態によると，上記スリーブは少なくとも部分的に透明材によって作られる。透明材料を上記スリーブの少なくとも一部分に用いることによって，補聴器ハウジングのマイクロホン開口部とスリーブの音開口の間における合致を目視点検することができるので，補聴器ハウジング上におけるアダプタの位置決めが容易になる。
【００１４】
特定の実施形態によると，上記スリーブはシリコーン・ゴムによって作られる。シリコーン・ゴムを用いることは，有利である。これにより，上述のすべての好適な実施形態を，この発明にしたがう単一のアダプタによって実現することができる。
【００１５】
さらに他の実施形態によると，上記アダプタはスリーブ用位置決め手段を含む。位置決め手段を用いることによって，マイクロホン開口部に対するアダプタの位置決めを，透明なスリーブを介した単純な目視点検よりも一層良好に行なうことが可能になる。
【００１６】
ある特定の実施形態によると，上記スリーブは視覚的位置決め手段を含む。視覚的位置決め手段をスリーブの透明化とともに用いることによって，透明なスリーブを介した目視点検によってアダプタを位置決めすることが容易になる。
【００１７】
ある好適な実施形態によると，上記位置決め手段は溝を構成する。溝は，突起部等の対応する係合手段を備える補聴器ハウジングの係合手段として，または補聴器がこのような係合手段を有さない場合は視覚的位置決め線として，いずれの役割も果たすことができるという点において有利である。
【００１８】
この発明のさらに他の態様によると，上記目的は，アダプタが，補聴器のハウジングのまわりに配置されるようになっているスリーブを含み，上記スリーブは，音をプローブ・チューブからマイクロホンへと通過させる音開口を含む，冒頭の段落にしたがう装置によって達成される。
【００１９】
好適な実施形態によると，上記スリーブと上記プローブ・チューブとは，一体的な部材を構成する。このことは，製造の観点から有利である。
【００２０】
他の好適な実施形態によると，上記プローブ・チューブは耳内における適正な位置決めのための位置決め手段を含む。このような位置決め手段は，補聴器のイヤープラグと鼓膜との間の耳腔内におけるプローブ・チューブの自由端の適正な位置決めを確保する上で役立ち，たとえば上記自由端が鼓膜に接触することによって使用者に不快感をもたらすことがないことが保証されるという点において有利である。
【００２１】
好ましくは，上記位置決め手段はプローブ・チューブに沿って摺動可能なカラーを含む。これにより，プローブ・チューブの端部，たとえばイヤープラグと鼓膜との間の耳腔内においてプローブ・チューブの所望の測定位置から上記イヤープラグに沿って上記イヤープラグの外面までの所定の距離に対応する任意の距離に，上記位置決め手段を配置することが可能になる。このため，上記プローブ・チューブの上記位置決め手段と補聴器のイヤープラグの外面とを目視的に調整することによって，プローブ・チューブ，特にこのチューブの自由端の耳内における適正な位置決めが保証される。
【００２２】
この発明の第３の態様によると，補聴器の内蔵マイクロホンを用いて実耳測定を実施する方法において，上述した装置を用意し，上記装置を補聴器のハウジングのまわりに取り付けて，音開口が補聴器の内蔵マイクロホンの上に配置されるようにし，プローブ・チューブを，耳内において，このチューブの自由端がイヤープラグと鼓膜との間の耳腔内において開口部を呈するような態様に配置し，上記マイクロホンを用いて上記耳腔内において上記補聴器から生じる音の音圧を検出することを特徴とする方法が得られる。
【００２３】
これにより，補聴器のマイクロホンと耳内の耳腔との間におけるプローブ・チューブを介した明確な結合を用いて，プローブ・チューブが補聴器から抜脱される危険性を伴うことなく，正確な実耳測定を実施することができる。
【００２４】
好適な実施形態によると，上記音圧の検出に先立って較正を行い，この較正においてプローブ・チューブの自由端を補聴器の出力トランスデューサ付近に配置し，補聴器から生じる所定の音響出力信号に基づいて音圧を測定する。
【００２５】
これにより，補聴器の応答および周波数応答の調節の良好な制御を達成することができる。
【００２６】
この発明のさらなる理解のために，以下に，添付の略図を参照して，非限定的な例証的実施形態に基づく詳細な説明を行なう。
【実施例】
【００２７】
はじめに図１を参照する。図１は，この発明にしたがうアダプタ１の好適な実施形態の斜視図を示す。アダプタ１は，３個の部品，すなわちスリーブ２と，挿入部３と，アダプタを図５〜９のみに示されるプローブ・チューブに接続する接続部４の組立体から構成される。スリーブ２は，好ましくは楕円形であるとともに，図５〜８に明確に示されているように，補聴器が配置される中央開口（a central aperture）２ａを形成する。
【００２８】
もちろん，より少数または多数の部品を有するその他の実施形態を実現することができ，特に挿入部３は，材料の選択によっては省くことができる。さらに，一実施形態によると，挿入部および金属管は，適切な機械加工，たとえば旋盤上における旋削により，１個の金属片から一体的に製造することができる。
【００２９】
しかしながら，上記の好適な３部品型実施形態においては，楕円形スリーブ２はシリコーン・ゴム等の弾力的な弾性材（elastic, resilient material）により製作され，挿入部３は硬いプラスチック材（剛塑性材）（a rigid plastic material）により製作され，管（チューブ）４は，たとえば注射器に用いられる種類の外科用スチールの金属管である。この金属管４は，図４に明確に示されているように，一般にスリーブ２の開口２ａに対して垂直に配置される。スリーブ２の材料の弾性特性および／または用いられるべき補聴器の形状に基づいて，スリーブ２の形状は，上述の楕円形状とは異なりうることに注意されたい。特に，中央開口２ａは，円形になりうる。
【００３０】
スリーブ２は，補聴器ハウジング８上において摺動し，スリーブ２の弾性張力によってスリーブとハウジングの間の摩擦により保持されて，適切な箇所に位置するようになっている。
【００３１】
アダプタは，一方において，挿入部３のプラスチック材を金属管４の一端のまわりにモールディングし，自由長の金属管４を挿入部３から突出させたままにするとともに，金属管４を貫通する自由通路を残存させることによって製造することができる。次に，他方において，挿入部用の貫通穴５の形態を持つ適切な空洞部を有する弾性スリーブ２をモールディングする。これらの二つの部品が形成されると，一つまたは二つの部品としてモールディングするか，または上記のように機械加工するかにかかわりなく，挿入部３が貫通穴内に挿入され，貫通穴内において，挿入部は弾性スリーブ１と挿入部３との間の摩擦および弾性力のみによって保持される。当然ながら，所望の場合は，挿入部は接着剤等によって追加的に固定してもよい。
【００３２】
図９に明確に示されているように，貫通穴５はさらに，プローブ・チューブ６からマイクロホン８ａへの音の伝達路としての役割を果たす。図９において，マイクロホン８ａは，マイクロホン・ポート７ａを有するドーム状凸部７の下に配置されているが，マイクロホン８ａは，補聴器のハウジング８内において穴（図示せず）の形状をとるマイクロホン・ポートと近接して配置されてもよい。
【００３３】
マイクロホン８ａが凸部の下に配置される場合，貫通穴５は，スリーブの弾性特性と貫通穴５の縁部の形状との組合せにより，マイクロホン８ａに対するアダプタの適正な位置決めを補助することができる。
【００３４】
好ましくは，スリーブ２は，上述したシリコーン・ゴム等の透明材によって作られる。挿入部３も，透明材によって作ることができる。これらの材料の一方または両方を透明にすることにより，マイクロホン８ａまたはマイクロホン・ポート７ａに対する貫通穴５の位置を，アダプタを介して目視点検することができ，適正な相互の位置決めが容易になる。
【００３５】
さらに他の位置指示手段を考察することができる。図１１および１２に示すように，たとえばスリーブの内周に沿って延在する色線の形態をとるマーカ１０を透明スリーブ２に設けてもよい。さらにまた，マーカを内周溝の形態としてもよい。このような溝およびこのような色線１０のいずれもが，透明スリーブ２を介して外側から容易に視認され，位置決め標識となる。
【００３６】
溝の利用は，補聴器ハウジング８上の適切な突起部（図示せず）と協働しうるという，線を上回るさらなる他の利点をもたらす。補聴器ハウジング８上にこのような突起部が存在する場合，突起部は溝と係合するとともに，アダプタの適切な位置決めを補助する。補聴器が，このような突起部を有さない構造のものである場合は，溝は，純粋に位置決め線としての役割を果たすことになろう。
【００３７】
金属管４の自由端上に，プローブ・チューブ６が取り付けられる。金属管４の外径は，プローブ・チューブ６の内径より若干大きい。プローブ・チューブ６は，金属管４の自由端部の上に固定的に嵌合する弾力的な弾性材によって作られる。好ましくは，プローブ・チューブ６は，補聴器の音出力ポート１１の内側にも嵌合する。プローブ・チューブ６は，交換可能なものでもよく，金属管４に固定されてアダプタの一体的部分を形成するものであってもよい。
【００３８】
プローブ・チューブ６は，一般に，外径１．５ｍｍ，内径０．６ｍｍおよび長さ１５０ｍｍの寸法を有する。このような寸法の場合，金属管４の外径は，上述の確実な嵌合を保証するために，好ましくは０．６３ｍｍとされる。
【００３９】
このようなプローブ・チューブ６の寸法は，耳道とイヤープラグとの間における圧力に抵抗して，実耳測定時において，たとえば米国特許第４８２７５２５号に示されるように，プローブ・チューブ６がイヤープラグに沿って配置されるときに，プローブ・チューブ６の内腔が遮断または閉塞されないようにすることを可能にする。ただし，この文献は，補聴器自体のマイクロホン８ａを用いた測定に関するものではなく，一般にこの発明の装置に直接関連しないと考えられる。
【００４０】
この発明は，このような態様でプローブ・チューブ６を用いることに制限されるものではなく，実耳測定時において，プローブ・チューブ６がイヤープラグと並んで配置されるか，またはたとえば米国特許第５６４５０７４号から周知のようにイヤープラグを貫通するかは，アダプタに関しては原則的に重要ではないことは明らかである。
【００４１】
スリーブ２の弾性特性により，アダプタは，幅広い範囲の異なる補聴器に適合する。このことは，同じアダプタが異なるハウジング８を有する二つの異なる補聴器とともに用いられている図５および７に図示されている。このように，マイクロホン・ポート７ａが適切な位置においてアクセス可能であるという条件の下，一つの同じアダプタをさまざまな補聴器とともに用いることができる。図示された実施形態においては，耳掛け形指向性補聴器の後方マイクロホン８ａが用いられている。
【００４２】
図５，６および８において，位置決め装置９となるカラーが，プローブ・チューブ６上に配置されている。この位置決め装置９自体が，図１０において断面図で示されている。この位置決め装置は，中心穴１２を有する略円筒状の部材である。中心穴１２の直径は，ともに用いられるプローブ・チューブ６に，すなわちこのプローブ・チューブの外径に適合されている。中心穴１２は，略円筒状であっても，または図示されているように二つの円錐部分からなり，穴を位置決め装置９の中央部分の方向に若干テーパ状としたものであってもよい。その全長は約３ｍｍであり，位置決め部材を指で把持して，プローブ・チューブ６に沿って摺動することができる。これにより，米国特許第４８２７５２５号に示される位置決め作業時において指の下に隠れてしまうゴム環等の周知の位置決め手段よりも，良好な位置決めが可能になる。位置決め作業時において，位置決め部材９は，プローブ・チューブ６に沿って所定の位置まで摺動され，摩擦により位置決めされる。調整技師は，カラー９から突出する調整用チューブのチューブ端６ａまでの長さを測定して，この位置を決める（選択する）。イヤープラグを使用者の耳道内に挿入するときに，プローブ・チューブは，カラー９がイヤープラグのすぐ外側に位置する状態でイヤープラグに沿って配置される。このようにすると，調整技師は，プローブ・チューブの自由端６ａが適切な長さだけイヤープラグを超えて突出していることを確認することができる。
【００４３】
実耳測定を実施するためには，アダプタ１が，補聴器ハウジング８の上において適正な位置に摺動され，この位置において，スリーブと補聴器ハウジングとの間における摩擦により保持される。
【００４４】
ハウジング８に取り付けられたアダプタ１を有する補聴器を使用する前に，アダプタが付属のプローブ・チューブ６が取り付けられたスリーブ２の形態をとるか，または一体的な装置であるかに係わりなく，実耳測定のために補聴器を較正することができる。この較正のために，プローブ・チューブ６の自由端６ａは，シンプルに補聴器の音出力ポート１１内に挿入される。
【００４５】
次に，補聴器は，補聴器への基準入力信号に基づいて，または補聴器自体から生じる基準信号によって較正される。そして，上記基準信号および測定される音圧間の直接結合によって補聴器が較正され，受信器，プローブ・チューブおよびマイクロホンを含む信号経路を介した伝達関数，すなわちそれぞれの構成要素の伝達関数の総計が決定（判断）される。標準カプラ内に配置されたときに補聴器から発生する音圧は，当該技術分野において周知の標準較正手順によって決定される。
【００４６】
実耳測定自体においては，補聴器は，耳の後ろの適正な位置に配置される。プローブ・チューブ６は，耳道とイヤープラグの間に配置され，チューブがイヤープラグに沿って位置するとともに，プローブ・チューブ６の自由端６ａが鼓膜と耳栓との間の耳腔内において適切な位置に配置される。次に，試験信号が補聴器に送られるか，または補聴器から発生され，結果として得られる音圧が耳腔内において測定される。耳腔内において測定される音圧と標準カプラ内において上記補聴器から発生する音圧との差は，従来のＲＥＤＣの略語で表される実耳−カプラ差（Real Ear to Coupler Difference）として示される所望値を意味する。このような測定の実施および評価の方法は，当業者には周知であり，この明細書においてこれ以上説明は省略する。
【図面の簡単な説明】
【００４７】
【図１】この発明にしたがうアダプタの斜視図である。
【図２】図１のアダプタの側面図である。
【図３】図１のアダプタの平面図である。
【図４】図１のアダプタの図３のＩＶ−ＩＶ線にそう断面図である。
【図５】第１の補聴器に取り付けられた図１のアダプタの斜視図である。
【図６】図５の斜視図に対応する側面図であり，アダプタが第１の補聴器に取り付けられた状態を示す。
【図７】図５の第１の補聴器と異なる第２の補聴器に取り付けられた図１のアダプタの斜視図である。
【図８】図７の斜視図に対応する部分切取側面図であり，アダプタが第２の補聴器に取り付けられた状態を示す。
【図９】図８の部分切取側面図の詳細図を示す。
【図１０】耳内においてプローブ・チューブを適正に位置決めするためのプローブ・チューブ上の位置決め手段の断面図である。
【図１１】図１および２に対応するものであり，スリーブ用の追加の位置決め手段を有するアダプタの実施形態を示す。
【図１２】図１および２に対応するものであり，スリーブ用の追加の位置決め手段を有するアダプタの実施形態を示す。
【図１】
2007529927.tif 000003
【図２】
2007529927.tif 000004
【図３】
2007529927.tif 000005
【図４】
2007529927.tif 000006
【図５】
2007529927.tif 000007
【図６】
2007529927.tif 000008
【図７】
2007529927.tif 000009
【図８】
2007529927.tif 000010
【図９】
2007529927.tif 000011
【図１０】
2007529927.tif 000012
【図１１】
2007529927.tif 000013
【図１２】
2007529927.tif 000014
【国際調査報告】
2007529927.tif 000015
2007529927.tif 000016
2007529927.tif 000017